(57)【要約】【課題】電池ケースの損傷を回避しながらも、電池ケースに対して電池を着脱する作業を良好に行うことができるビルトイン式ガスコンロを提供する。【解決手段】上端側の鍔部１Ａを装着用板状体Ｂに載置し且つ鍔部１Ａよりも下方側部分を装着用板状体Ｂの開口部Ｋを通して下方に挿入する状態に組付けられる本体ケース１の底壁１Ｄに、電池ケース６が、電池挿脱用開口を下方に向け且つ当該底壁１Ｄに形成した装着口を通して本体ケース１の内部に入り込ませた状態で装着され、電池ケース６が、下端側部分を底壁１Ｄの周縁部１Ｓよりも下方に突出させる状態で底壁１Ｄに装着され、底壁１Ｄの周縁部１Ｓよりも内方側箇所に、複数の仮置用脚部１０が電池ケース６よりも下方に突出する状態で設けられている。【選択図】図２
2020070948.tif 000002
【特許請求の範囲】
【請求項１】
上端側の鍔部を装着用板状体に載置し且つ前記鍔部よりも下方側部分を前記装着用板状体の開口部を通して下方に挿入する状態に組付けられる本体ケース、及び、
前記本体ケースに装着したコンロバーナを挿通させる形態で前記本体ケースの上部を覆う状態に装着される天板が備えられ、
前記本体ケースの底壁に、電池ケースが、電池挿脱用開口を下方に向け且つ当該底壁に形成した装着口を通して前記本体ケースの内部に入り込ませた状態で装着されたビルトイン式ガスコンロであって、
前記電池ケースが、下端側部分を前記底壁の周縁部よりも下方に突出させる状態で前記底壁に装着され、
前記底壁の前記周縁部よりも内方側箇所に、複数の仮置用脚部が前記電池ケースの下端側部分よりも下方に突出する状態で設けられているビルトイン式ガスコンロ。
【請求項２】
前記本体ケースが、横幅よりも前後幅が大きい縦長に形成され、
前記複数の仮置用脚部が、前記本体ケースの前後に分散する状態で設けられている請求項１に記載のビルトイン式ガスコンロ。
【請求項３】
前記複数の仮置用脚部が、前記底壁を下方側に湾曲させる形態に形成され、
前記底壁における前記装着口を形成する装着口形成部分が、前記底壁を上方側に湾曲させる形態に形成されている請求項１又は２に記載のビルトイン式ガスコンロ。
【請求項４】
前記複数の仮置用脚部のうちの隣接する２つの仮置用脚部が、前記底壁を下方側に湾曲させた帯状の中間突出壁部における２つの仮置用脚部形成部分を下方側に湾曲させて形成されている請求項３に記載のビルトイン式ガスコンロ。
【請求項５】
前記複数の仮置用脚部における前記本体ケースの内部に臨む上面部が、液状物を貯留可能な凹入状に形成されている請求項１〜４のいずれか１項に記載のビルトイン式ガスコンロ。
【発明の詳細な説明】
【技術分野】
【０００１】
本発明は、上端側の鍔部を装着用板状体に載置し且つ前記鍔部よりも下方側部分を前記装着用板状体の開口部を通して下方に挿入する状態に組付けられる本体ケース、及び、
前記本体ケースに装着したコンロバーナを挿通させる形態で前記本体ケースの上部を覆う状態に装着される天板が備えられ、
前記本体ケースの底壁に、電池ケースが、電池挿脱用開口を下方に向け且つ当該底壁に形成した装着口を通して前記本体ケースの内部に入り込ませた状態で装着されたビルトイン式ガスコンロに関する。
【背景技術】
【０００２】
かかるビルトイン式ガスコンロは、上端側の鍔部を装着用板状体（例えば、キッチンキャビネットの上部のカウンター、以下同様）に載置し且つ鍔部よりも下方側部分を装着用板状体の開口部を通して下方に挿入する状態に本体ケースを組付け、当該本体ケースの上部を覆う状態に天板を装着して使用されることになる。
【０００３】
そして、本体ケースの底壁には、電池挿脱用開口を下方に向けた状態で電池ケースが装着されているから、本体ケースを装着用板状体に組付けた後において、電池挿脱用開口を通して、電池ケースに電池（乾電池）を装着することになる。
ちなみに、電池ケースに装着された電池（乾電池）は、着火用点火器を作動させるための電源等、ビルトイン式ガスコンロを運転するための電源として使用されることになる。
【０００４】
かかるビルトイン式ガスコンロの従来例として、電池ケースの下端側部分を底壁の周縁部よりも上方に引退させる状態で、電池ケースが底壁に装着されたものがある（例えば、特許文献１参照。）。
【０００５】
すなわち、本体ケースを装着用板状体に組付ける際には、例えば、装着用板状体に本体ケースを仮置きする等、本体ケースを諸々の箇所に仮置きすることがあるが、電池ケースの下端側部分が、本体ケースの底壁よりも下方側に突出していると、本体ケースを仮置きしたときに、電池ケースの下端側部分が本体ケースを仮置きする箇所との接当により損傷する虞がある。
特許文献１においては、本体ケースの底壁における装着口を形成する装着口形成部分を、底壁の周縁部よりも上方側に大きく引退する湾曲形態に形成して、電池ケースの下端側部分を底壁の周縁部よりも上方に引退させる状態で電池ケースを底壁に装着している。
【先行技術文献】
【特許文献】
【０００６】
【特許文献１】特開２０１８−８７６４４号公報
【発明の概要】
【発明が解決しようとする課題】
【０００７】
従来のビルトイン式ガスコンロにおいては、電池ケースの下端側部分を底壁の周縁部よりも上方に引退させる状態で、電池ケースが底壁に装着されているから、本体ケースを装着用板状体に対して組付けた状態において、装着用板状体の下方側に位置する本体ケースの下方側部分を横側方等の側方から見たときに、電池ケースの下端側部分よりも下方に突出している底壁の周縁部により、電池ケースが隠れた状態となるため、電池ケースの存在が分かり難くなる虞があった。
【０００８】
このように、電池ケースの存在が分かり難くなると、電池ケースに電池を装着する作業や電池ケースから電池を取り外す作業等、電池ケースに対して電池を着脱する作業が行い難くなる不都合があり、改善が望まれていた。
【０００９】
本発明は、上記実状に鑑みて為されたものであって、その目的は、電池ケースの損傷を回避しながらも、電池ケースに対して電池を着脱する作業を良好に行うことができるビルトイン式ガスコンロを提供する点にある。
【課題を解決するための手段】
【００１０】
本発明のビルトイン式ガスコンロは、上端側の鍔部を装着用板状体に載置し且つ前記鍔部よりも下方側部分を前記装着用板状体の開口部を通して下方に挿入する状態に組付けられる本体ケース、及び、
前記本体ケースに装着したコンロバーナを挿通させる形態で前記本体ケースの上部を覆う状態に装着される天板が備えられ、
前記本体ケースの底壁に、電池ケースが、電池挿脱用開口を下方に向け且つ当該底壁に形成した装着口を通して前記コンロ本体の内部に入り込ませた状態で装着されたものあって、その特徴構成は、
前記電池ケースが、下端側部分を前記底壁の周縁部よりも下方に突出させる状態で前記底壁に装着され、
前記底壁の前記周縁部よりも内方側箇所に、複数の仮置用脚部が前記電池ケースの下端側部分よりも下方に突出する状態で設けられている点にある。
【００１１】
すなわち、電池ケースの下端側部分を本体ケース底壁の周縁部よりも下方に突出させる状態で電池ケースが底壁に装着されているから、本体ケースを装着用板状体に対して組付けた状態において、装着用板状体の下方側に位置する本体ケースの下方側部分を横側方等の側方から見たときに、電池ケースの下端側部分が底壁の周縁部により下方に突出しているため、その下端側部分を見ることができるものであり、その結果、電池ケースの存在を良好に認識できることになる。
【００１２】
したがって、本体ケースを装着用板状体に対して組付けた状態においても、装着用板状体の下方側に位置する本体ケースの下方側部分を横側方等の側方から見たときに、電池ケースの存在を良好に認識できるから、電池ケースに電池を装着する作業や電池ケースから電池を取り外す作業等、電池ケースに対して電池を着脱する作業を良好に行うことができる。
【００１３】
しかも、本体ケースの底壁における周縁部よりも内方側箇所に、複数の仮置用脚部が電池ケースの下端側部分よりも下方に突出する状態で設けられているから、本体ケースを装着用板状体に組付ける際に、例えば、本体ケースを装着用板状体に仮置きする等、本体ケースを諸々の箇所に仮置きすることがあっても、複数の仮置用脚部が仮置きする箇所に接当することにより、電池ケースの下端側部分が仮置する箇所に接当することを回避できるため、電池ケースの下端側部分が本体ケースを仮置きした箇所との接当により損傷することを抑制できる。
【００１４】
ちなみに、複数の仮置用脚部が電池ケースの下端側部分よりも下方に突出する状態で設けられていると、装着用板状体の下方側に位置する本体ケースの下方側部分を横側方等の側方から見たときに、複数の仮置用脚部によって電池ケースが隠れた状態となるが、複数の仮置用脚部は本体ケースの底壁に分散して設けられるものであるから、本体ケースの下方側部分を側方から見る位置を変更調整すれば、電池ケースの下端側部分を見ることができるものであり、複数の仮置用脚部の存在に拘わらず、電池ケースの存在を良好に認識できる。
【００１５】
要するに、本発明のビルトイン式ガスコンロの特徴構成によれば、電池ケースの損傷を回避しながらも、電池ケースに対して電池を着脱する作業を良好に行うことができる。
【００１６】
本発明のビルトイン式ガスコンロの更なる特徴構成は、前記本体ケースが、横幅よりも前後幅が大きい縦長に形成され、
前記複数の仮置用脚部が、前記本体ケースの前後に分散する状態で設けられている点にある。
【００１７】
すなわち、本体ケースが横幅よりも前後幅が大きい縦長に形成されることに対応して、複数の仮置用脚部が、本体ケースの前後に分散する状態で設けられているから、本体ケースを仮置きする際に、本体ケースの前後に位置する仮置用脚部にて、縦長の本体ケースを安定性良く支持することができる。
【００１８】
つまり、複数の仮置用脚部を本体ケースが縦長であることを利用しながら、本体ケースの前後幅方向に大きな間隔を隔てて位置させることができるため、縦長の本体ケースを安定性良く支持することができるのである。
【００１９】
要するに、本発明のビルトイン式ガスコンロの更なる特徴構成によれば、縦長の本体ケースを安定性良く支持することができる。
【００２０】
本発明のビルトイン式ガスコンロの更なる特徴構成は、前記複数の仮置用脚部が、前記底壁を下方側に湾曲させる形態に形成され、
前記底壁における前記装着口を形成する装着口形成部分が、前記底壁を上方側に湾曲させる形態に形成されている点にある。
【００２１】
すなわち、仮置用脚部が、本体ケースの底壁を下方側に湾曲させる形態に形成され、本体ケースの底壁における電池ケースの装着口を形成する装着口形成部分が、底壁を上方側に湾曲させる形態に形成されているから、本体ケースの底壁を下方側に湾曲させて仮置用脚部を形成する際に、底壁を大きく下方側に突出する状態に湾曲させる必要がなくなるため、複数の仮置用脚部の製作が容易となる。
【００２２】
つまり、本体ケースは、ステンレス等の金属材にて形成されるものであるから、プレス加工等により、本体ケースの底壁を下方側に湾曲させる形態で仮置用脚部を形成することによって、仮置用脚部を形成するための別部材を本体ケースの底壁に装着する場合に較べて、低廉化を図りながら仮置用脚部を形成できる。
【００２３】
しかも、本体ケースの底壁における電池ケースの装着口を形成する装着口形成部分を、底壁を上方側に湾曲させる形態に形成して、装着口に装着した電池ケースが本体ケースの底壁の周縁部よりも大きく突出しないようにするから、本体ケースの底壁を下方側に湾曲させて仮置用脚部を形成するにしても、底壁を大きく下方側に突出する状態に湾曲させる必要がなくなるため、複数の仮置用脚部の製作が容易となる。
【００２４】
要するに、本発明のビルトイン式ガスコンロの更なる特徴構成によれば、低廉化を図りながら仮置用脚部を形成でき、しかも、仮置用脚部の製作の容易化を図ることができる。
【００２５】
本発明のビルトイン式ガスコンロの更なる特徴構成は、前記複数の仮置用脚部のうちの隣接する２つの仮置用脚部が、前記底壁を下方側に湾曲させた帯状の中間突出壁部における２つの仮置用脚部形成部分を下方側に湾曲させて形成されている点にある。
【００２６】
すなわち、底壁を下方側に湾曲させて帯状の中間突出壁部を形成し、当該中間突出壁部における２つの仮置用脚部形成部分を下方側に湾曲させて、隣接する２つの仮置用脚部を形成することになる。
つまり、底壁を下方側に湾曲させて隣接する２つの仮置用脚部を形成する際に、底壁を下方側に湾曲させた帯状の中間突出壁部における２つの仮置用脚部形成部分を下方側に湾曲させることになる。
【００２７】
したがって、底壁を下方側に湾曲させた帯状の中間突出壁部を形成し、その中間突出壁部を利用しながら、隣接する２つの仮置用脚部を形成することにより、帯状の中間突出壁部にて底壁の補強を行いながら、隣接する２つの仮置用脚部を形成することができる。
【００２８】
要するに、本発明のビルトイン式ガスコンロの更なる特徴構成によれば、本体ケースの底壁の補強を行いながら、隣接する２つの仮置用脚部を形成することができる。
【００２９】
本発明のビルトイン式ガスコンロの更なる特徴構成は、前記複数の仮置用脚部における前記本体ケースの内部に臨む上面部が、液状物を貯留可能な凹入状に形成されている点にある。
【００３０】
すなわち、複数の仮置用脚部における本体ケースの内部に臨む上面部が、液状物を貯留可能な凹入状に形成されているから、本体ケースの内部に侵入して、底壁の上面を流動する液状物を、複数の仮置用脚部の凹入状の上面部にて集めながら貯留でき、底壁の上面の全体が汚損することを極力抑制できる。
【００３１】
つまり、鍋等をコンロバーナにて加熱する際に、鍋等から溢れた煮汁が本体ケースの内部に侵入してくる等、煮汁等の液状物が本体ケースの内部に侵入して、底壁の上面を流動する虞があるが、このような液状物を、複数の仮置用脚部の凹入状の上面部にて集めながら貯留して、底壁の上面の全体が汚損することを極力抑制できる。
【００３２】
要するに、本発明のビルトイン式ガスコンロの更なる特徴構成によれば、本体ケースの内部に侵入してくる液状物によって底壁の上面の全体が汚損することを極力抑制できる。
【図面の簡単な説明】
【００３３】
【図１】ビルトイン式ガスコンロを装着用板状体Ｂに組付ける状態の斜視図
【図２】ビルトイン式ガスコンロの一部切欠側面図
【図３】ビルトイン式ガスコンロの底面図
【図４】本体ケースにおける電池ケース６の装着部の縦断正面図
【図５】電池ケース６の平面図
【図６】本体ケースの底面図
【図７】図６におけるＶＩＩ−ＶＩＩ線断面図
【図８】図６におけるＶＩＩＩ−ＶＩＩＩ線断面図
【図９】図６におけるＩＸ−ＩＸ線断面図
【発明を実施するための形態】
【００３４】
〔実施形態〕
以下、本発明の実施形態を図面に基づいて説明する。
（ビルトイン式ガスコンロＧＣの全体構成）
図１及び図２に示すように、ビルトイン式ガスコンロＧＣは、上端側の鍔部１Ａを装着用板状体Ｂに載置し且つ鍔部１Ａよりも下方側部分を装着用板状体Ｂの開口部Ｋを通して下方に挿入する状態に組付けられる本体ケース１、及び、本体ケース１に装着したコンロバーナ２を挿通させる形態で本体ケース１の上部を覆う状態に装着される天板３を備えている。
【００３５】
本実施形態においては、装着用板状体Ｂが、キッチンキャビネットＣＢの上部に位置するカウンターＣＴにて構成されている。
本体ケース１は、ステンレス等の金属材にて、上部が開口した有底角筒状に形成されている。具体的には、本体ケース１は、横幅よりも前後幅が大きい縦長に形成されている。
そして、本体ケース１には、前後一対のコンロバーナ２が装着され、天板３の上部には、前後一対のコンロバーナ２の夫々に対応して、五徳４が載置されている。
また、天板３の前方側箇所には、前後一対のコンロバーナ２を点消火しかつ火力を調節する左右一対のコンロ操作具５が設けられている。
【００３６】
図２及び図３に示すように、本体ケース１の底壁１Ｄに、電池ケース６（図５参照）が装備されている。
そして、電池ケース６に装着した電池（乾電池）７を電源として、コンロバーナ２を点火するための着火用点火器を作動させる等、ビルトイン式ガスコンロＧＣの運転を制御するように構成されている。
【００３７】
（電池ケース６の詳細）
図４及び図５に示すように、電池ケース６が、電池挿脱用開口Ｓを下方に向け且つ当該底壁１Ｄに形成した装着用口８（図６参照）を通してコンロ本体の内部に入り込ませた状態で装着されている。
ちなみに、本実施形態においては、図４及び図７に示すように、本体ケース１の底壁１Ｄにおける装着口８を形成する装着口形成部分１ｆが、底壁１Ｄを上方側に湾曲させる形態に形成されている。つまり、装着口形成部分１ｆが、本体ケース１の底壁１Ｄにおける周縁部１Ｓよりも上方側に引退する形態に形成されている。
【００３８】
また、図２及び図４に示すように、電池ケース６が、下端側部分を底壁１Ｄの周縁部１Ｓよりも下方に突出させる状態で本体ケース１の底壁１Ｄに装着されている。
本実施形態には、底壁１Ｄの周縁部１Ｓの略全体（略全周）が同じ高さとなるように構成されているが、底壁１Ｄの周縁部１Ｓの一部（１箇所又は複数箇所）を他の部分よりも高くする又は低くする形態で構成してもよい。
【００３９】
図４及び図５に示すように、電池ケース６は、上方側の電池収納用の箱状体６Ａと下端側の弾性変位自在な電池保持用舌片６Ｂとを備える形態に構成されるものであり、電池ケース６の下端側部分とは、電池保持用舌片６Ｂの下端側部分に相当し、また、電池ケース６の電池挿脱用開口Ｓとは、電池収納用の箱状体６Ａの下側を向く開口に相当する。
【００４０】
また、電池ケース６が、電池収納用の箱状体６Ａの外周部を装着口８の口縁部に係止支持させる状態で本体ケース１の底壁１Ｄに支持されている。
ちなみに、図４に示すように、下向きに開口した箱状のカバー体９が、電池ケース６を覆う状態で設けられている。つまり、鍋等をコンロバーナ２にて加熱する際に、鍋等から溢れた煮汁が本体ケース１の内部に侵入してくる等、煮汁等の液状物が本体ケース１の内部に侵入してくる虞があるが、箱状のカバー体９にて電池ケース６を覆うことにより、当該液状物が電池ケース６に降り掛かることを抑制するように構成されている。
【００４１】
（仮置用脚部１０について）
図２及び図３に示すように、本体ケース１の底壁１Ｄの周縁部１Ｓよりも内方側箇所に、複数の仮置用脚部１０が電池ケース６の下端側部分よりも下方に突出する状態で設けられている。本実施形態においては、山形突起状の３つの仮置用脚部１０が設けられている。
すなわち、３つの仮置用脚部１０が、電池ケース６の下端側部分よりも下方に突出する状態で、本体ケース１の底壁１Ｄの周縁部１Ｓよりも下方に突出する形態で設けられている。
尚、本実施形態においては、電池ケース６に装着した電池（乾電池）７は、複数の仮置用脚部１０よりも下方側に突出する状態となるが、複数の仮置用脚部１０を、電池ケース６に装着した電池（乾電池）７よりも下方に突出させる形態で実施してもよい。
【００４２】
つまり、本体ケース１を装着用板状体Ｂに組付ける際に、例えば、本体ケース１を装着用板状体Ｂに仮置きする等、本体ケース１を諸々の箇所に仮置きすることがあっても、複数の仮置用脚部１０が仮置きする箇所に接当することにより、電池ケース６の下端側部分が仮置する箇所に接当することを回避できるため、電池ケース６の下端側部分が本体ケース１を仮置きした箇所との接当により損傷することを抑制できる。
【００４３】
本実施形態においては、３つの仮置用脚部１０のうちの２つの仮置用脚部１０が本体ケース１の前方側に位置し、残りの１つ仮置用脚部１０が本体ケース１の後方側に位置する形態で、３つの仮置用脚部１０が本体ケース１の前後に分散する状態で設けられている。
【００４４】
また、図２、図８及び図９に示すように、３つの仮置用脚部１０が、底壁１Ｄを下方側に湾曲させる形態に形成されている。
そして、図６及び図８に示すように、３つの仮置用脚部１０のうちの本体ケース１の前方側に隣接して位置する２つの仮置用脚部１０が、前記底壁１Ｄを下方側に湾曲させた帯状の中間突出壁部１ｍにおける２つの仮置用脚部形成部分を下方側に湾曲させて形成されている。
【００４５】
また、図８及び図９に示すように、３つの仮置用脚部１０における本体ケース１の内部に臨む上面部が、液状物を貯留可能な凹入状に形成されている。
つまり、上述の如く、煮汁等の液状物が本体ケース１の内部に侵入して、底壁１Ｄの上面を流動する虞があるが、このような液状物を、複数の仮置用脚部１０の凹入状の上面部にて集めながら貯留して、底壁１Ｄの上面の全体が汚損することを極力抑制できる。
【００４６】
〔別実施形態〕
次に、別実施形態を列記する。
（１）上記実施形態においては、山形突起状の３つの仮置用脚部１０を設ける場合を例示したが、例えば、横長突起状の２つの仮置用脚部１０を本体ケース１の前後に設けるようにする、あるいは、４つ以上の山形突起状の仮置用脚部１０を本体ケース１の前後幅方向や横幅方向に分散して設けるようにする等、仮置用脚部１０の具体形状や設置数は各種変更できる。
【００４７】
（２）上記実施形態においては、本体ケース１の底壁１Ｄを湾曲させる形態で仮置用脚部１０を形成する場合を例示したが、本体ケース１の底壁１Ｄに仮置用脚部形成用の別材を装着する形態で仮置用脚部１０を構成してもよい。
【００４８】
（３）上記実施形態では、２つのコンロバーナ２を前後方向に並べる形態で備えさせる場合を例示したが、２つのコンロバーナ２を左右方向に並べる形態で備えさせる、あるいは、３つ以上のコンロバーナ２を前後方向や左右方向に並べる形態で備えさせる等、コンロバーナ２の設置形態は各種変更できる。
【００４９】
（４）上記実施形態では、電池ケース６が、電池（乾電池）７を径方向に並べる形態で装着する場合を例示したが、例えば、電池（乾電池）７を長手方向に並べる形態で装着する等、電池ケース６が電池（乾電池）７を装着する形態は各種変更できる。
【００５０】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００５１】
１      本体ケース
１Ａ    鍔部
１Ｄ    底壁
１ｆ    装着口形成部分
１ｍ    中間突出壁部
１Ｓ    周縁部
２      コンロバーナ
３      天板
６      電池ケース
８      装着口
１０    仮置用脚部
Ｂ      装着用板状体
Ｋ      開口部
Ｓ      電池挿脱用開口
【図１】
2020070948.tif 000003
【図２】
2020070948.tif 000004
【図３】
2020070948.tif 000005
【図４】
2020070948.tif 000006
【図５】
2020070948.tif 000007
【図６】
2020070948.tif 000008
【図７】
2020070948.tif 000009
【図８】
2020070948.tif 000010
【図９】
2020070948.tif 000011